(57)【要約】【課題】  筐体を横方向に保持したままで、縦方向の画像を撮影できるとともに高画質な画像を撮像する撮像技術を提供する。【解決手段】  撮像素子を有する撮像装置であって、前記撮像素子の長辺方向に対応した方向に長辺をもつ横長の画像を撮像する第１の撮像モードと、前記撮像素子の長辺方向に対応した方向に短辺をもつ縦長の画像を撮像する第２の撮像モードとを切り替える切替手段と、前記切替手段の切替結果に基づいて前記撮像装置の撮像倍率を変更する制御部とを有することを特徴とする撮像装置を提供する。【選択図】        図１
2007068091.tif 000002
【特許請求の範囲】
【請求項１】
撮像素子を有する撮像装置であって、
前記撮像素子の長辺方向に対応した方向に長辺をもつ横長の画像を撮像する第１の撮像モードと、前記撮像素子の長辺方向に対応した方向に短辺をもつ縦長の画像を撮像する第２の撮像モードとを切り替える切替手段と、
前記切替手段の切替結果に基づいて前記撮像装置の撮像倍率を変更する制御部とを有することを特徴とする撮像装置。
【請求項２】
前記制御部は、前記第１の撮像モードから前記第２の撮像モードに切り替えられた場合には撮像倍率を下げ、前記第２の撮像モードから前記第１の撮像モードに切り替えられた場合には撮像倍率を上げることを特徴とする請求項１記載の撮像装置。
【請求項３】
前記撮像装置は、画像の画素数を変更する変更手段とを更に有し、当該変更手段は、前記第１の撮像モードで撮像された画像の画素数と、前記第２の撮像モードで撮像された画像の画素数とを近づけるように撮像倍率を変更することを特徴とする請求項１記載の撮像装置。
【請求項４】
撮像素子を有する撮像装置によって被写体を撮像する撮像方法であって、
前記撮像素子の長辺方向に対応した方向に長辺をもつ横長の画像を撮像する第１の撮像モードと、前記撮像素子の長辺方向に対応した方向に短辺をもつ縦長の画像を撮像する第２の撮像モードとの切り替えを判断する判断ステップと、
前記判断ステップの判断結果に基づいて前記撮像装置の撮像倍率を変更する変更ステップとを有することを特徴とする撮像方法。
【発明の詳細な説明】
【技術分野】
【０００１】
本発明は、一般的には、撮像装置に係り、特に、撮像素子を使用して被写体像を撮像する撮像技術に関する。本発明の撮像技術は、例えば、筐体を横方向に保持した状態で横長及び縦長の画像を撮影できる撮像装置に好適である。ここで、横長の画像とは、撮像素子の長辺方向に対応する方向に長辺をもつ横長の画像をさし、縦長の画像とは、撮像素子の長辺方向に対応する方向に短辺をもつ縦長の画像をさす。
【背景技術】
【０００２】
近年の電子機器の高機能化及び高性能化に伴い、デジタルカメラなどの電子撮像装置に関しても高機能化及び高画質化が要求されている。従来の電子撮像装置は、被写体を撮影する場合、筐体を横方向にして撮影する場合に適するように設計されている。そのため、従来の電子撮像装置は、縦長の画像を撮影するときには、筐体を縦方向にして撮影されていた。従って、縦長の画像を撮影するときには、シャッターボタンが押しにくかったり、筐体が持ちにくかったりして、使用者に負担をかけていた。そこで、筐体を横方向に保持したままで、縦長の画像を撮影できる電子撮像装置が提案されている（例えば、特許文献１参照のこと）。
【特許文献１】特開２００４−２５３９３８号公報
【発明の開示】
【発明が解決しようとする課題】
【０００３】
しかしながら、特許文献１は、横方向で撮影された横長の画像データの中から縦長の領域だけを画像データとして使用し、画像処理して記録媒体に記録している。それにより、特許文献１は、縦長の画像のサイズが横長の画像のサイズと異なってしまう。
【０００４】
また、特許文献１は、縦方向の画像のサイズが小さいため、画像を出力した場合に縦方向の画像は、横方向の画像よりも画質が劣化してしまうという問題があった。
【０００５】
そこで、本発明は、筐体を横方向に保持したままで、縦方向の画像を撮影できるとともに高画質な画像を撮像する撮像技術を提供することを例示的な目的とする。
【課題を解決するための手段】
【０００６】
本発明の一側面としての撮像装置は、撮像素子を有する撮像装置であって、前記撮像素子の長辺方向に対応した方向に長辺をもつ横長の画像を撮像する第１の撮像モードと、前記撮像素子の長辺方向に対応した方向に短辺をもつ縦長の画像を撮像する第２の撮像モードとを切り替える切替手段と、前記切替手段の切替結果に基づいて前記撮像装置の撮像倍率を変更する制御部とを有することを特徴とする。
【０００７】
本発明の別の側面としての撮像装置は、撮像素子を有する撮像装置によって被写体を撮像する撮像方法であって、前記撮像素子の長辺方向に対応した方向に長辺をもつ横長の画像を撮像する第１の撮像モードと、前記撮像素子の長辺方向に対応した方向に短辺をもつ縦長の画像を撮像する第２の撮像モードとの切り替えを判断する判断ステップと、前記判断ステップの判断結果に基づいて前記撮像装置の撮像倍率を変更する変更ステップとを有することを特徴とする。
【発明の効果】
【０００８】
本発明によれば、筐体を横方向に保持したままで、縦方向の画像を撮影できるとともに高画質な画像を撮影する撮像技術を提供することができる。
【発明を実施するための最良の形態】
【０００９】
以下、添付図面を参照して、本発明の一側面としての撮像装置１００について説明する。ここで図１及び図２は、撮像装置１００の構成を示す斜視図である。
【００１０】
撮像装置１００は、後述する撮像素子１７２で撮影した被写体像を電子的に記録媒体等に記録する。撮像装置１００は、液晶表示装置１１０と、操作部１２０と、撮像レンズ用開口部１３０と、ファインダ光学系開口部１４０と、発光窓１５０と、筐体１６０とを有する。また、撮像装置１００は、後述する撮像手段１７０と、後述する駆動部１８０と、後述する制御部２００とを有する。
【００１１】
液晶表示装置１１０は、撮影する被写体像の確認または撮影された画像の再生表示をする。液晶表示装置１１０は、撮像装置１００の背面側（つまり、非被写体側）に形成されている。また、液晶表示装置１１０は、例えば、ＬＣＤである。液晶表示装置１１０は、後述する制御部２００に電気的に接続されている。
【００１２】
操作部１２０は、使用者が撮像装置１００を操作するために使用される。この場合、操作部１２０は、シャッターボタン１２１と、モード設定ダイヤル１２２と、ズーム切替レバー１２３と、操作ボタン１２４とを有する。また、操作部１２０は、使用者の利便性を向上させるために撮像時に使用者の指が届く範囲に集中するように形成されている。
【００１３】
シャッターボタン１２１は、撮像装置１００が被写体を撮影するために使用され、２段階の押圧操作が可能となっている。この場合、シャッターボタン１２１は、半押し操作が行われると、撮影準備動作（測光動作や測距動作等）が開始され、全押し操作が行われると、被写体が撮影される。
【００１４】
モード設定ダイヤル１２２は、撮像モードを切り替えるために使用され、撮像装置１００の上部に配置され、撮像装置１００に対して回動可能に支持されている。モード設定ダイヤル１２２の上面には、各種の撮像モードに応じたマークが表示されている。これらのマークが撮像装置１００本体の外面に形成された図示しない指標に合わせられることで、マークに応じた撮像モードの設定を行うことができる。この場合、モード設定ダイヤル１２２は、横長の画像を撮影する第１の撮像モードと、縦長の画像を撮影する第２の撮像モードとを切り替える機能を有している。ここで、横長の画像とは、後述する撮像素子１７２の長辺方向に対応した方向に長辺をもつ横長の画像をさし、縦長の画像とは、撮像素子１７２の長辺方向に対応した方向に短辺をもつ縦長の画像をさす。
【００１５】
ズーム切替レバー１２３は、光学系の焦点距離を切り替えるために使用され、シャッターボタン１２１を取り囲むように配置される。また、ズーム切替レバー１２３は、回動可能である。この場合、ズーム切替レバー１２３は、一方向に回動させると光学系の焦点距離をワイド方向に切り替えることができ、他の方向に回動させると、テレ方向に切り替えることができる。
【００１６】
操作ボタン１２４は、撮像装置１００を操作するために使用される。操作ボタン１２４は、液晶表示装置１１０の近傍に配置される。また、操作ボタン１２４は、本実施例では、１つの中心ボタンと、その回りに形成される４つのボタンから構成される。更に、操作ボタン１２４は、横長の画像を撮影する第１の撮像モードと、縦長の画像を撮影する第２の撮像モードとを切り替える機能を有してもよい。この場合、モード設定ダイヤル１２２に付加されている切り替え機能は、必要なくなる。
【００１７】
撮像レンズ用開口部１３０は、被写体の光束を内部に導入する。撮像レンズ用開口部１３０を通過した被写体光束は、撮像装置１００内に配置された後述する撮像素子１７２で結像する。また、撮像レンズ用開口部１３０の被写体側には、開閉カバー１３１が形成されている。開閉カバー１３１は、電源を入れると上下にスライドして収納される。
【００１８】
ファインダ光学系開口部１４０は、使用者が被写体を確認するための開口であって、撮像レンズ用開口部１３０の近傍に配置される。つまり、ファインダ光学系開口部１４０は、撮像レンズ用開口部１３０の上方に配置され、撮影動作時に観察及び撮影範囲を決定するために使用者に用いられる。
【００１９】
発光窓１５０は、図示しない発光源からの光を被写体に照明するための窓である。この場合、発光源は、撮影時に光量が足りないときに必要に応じて発光する。
【００２０】
筐体１６０は、撮像装置１００の内部部材を保護する機能を有する。筐体１６０は、電池蓋１６１と、蓋１６２及び１６３とを有する。
【００２１】
電池蓋１６１は、筐体１６０と共同して電池２００を筐体１６０内部に保持する。電池蓋１６１は、撮像装置１００に対して回動可能に形成されている。従って、電池蓋１６１が開くことによって、電池２００が挿脱可能になる。また、電池蓋１６１は、筐体１６０の底面部に形成されている。
【００２２】
蓋１６２及び１６３は、図示しないコネクターや電源等の機能拡張端子を保護する機能を有する。蓋１６２及び１６３は、撮像装置１００の本体に回動可能に取り付けられている。
【００２３】
撮像手段１７０は、被写体の画像データを取得する機能を有し、図３に示すように、撮像レンズ１７１と、撮像素子１７２とを有する。ここで、図３は、撮像装置１００の構成を示すブロック図である。撮像レンズ１７１は、撮影像を光学的に結像させる機能を有する。撮像レンズ１７１は、撮像レンズ用開口部１３０に嵌め込まれており、開閉カバー１３１によって保護されている。撮像素子１７２は、投影レンズ１７１を介した撮影像をアナログの電気信号に変換する機能を有し、撮影像が結像する位置に配置される。
【００２４】
駆動部１８０は、撮像レンズ１７１を駆動し光学倍率を変化させる機能を有する。そのため、駆動部１８０は、撮像レンズ１７１と機械的に接続されている。また、駆動部１８０は、後述する制御部２００によって制御されている。
【００２５】
制御部２００は、撮像装置１００の動作及び撮像モードを制御する。制御部２００は、電気的に撮像手段１７０及び駆動部１８０とに接続されている。また、制御部２００は、Ａ／Ｄ変換器２１０と、画像処理回路２２０と、記録媒体２３０と、制御回路２４０と、ＪＰＥＧ圧縮・伸長回路２５０と、Ｄ／Ａ変換器２６０と、メモリ２７０と、変倍回路（変倍手段）２８０とを有する。
【００２６】
Ａ／Ｄ変換器２１０は、撮像素子１７２から出力されるアナログ信号をデジタル信号に変換する機能を有する。そして、Ａ／Ｄ変換器２１０は、変換されたデジタル信号を後述する制御回路２４０へ伝達する。そのため、Ａ／Ｄ変換器２１０は、電気的に撮像手段１７０と制御回路２４０とに接続されている。
【００２７】
画像処理回路２２０は、撮影された画像を処理する機能を有する。画像処理回路２２０は、例えば、撮影又は記録されたＣＣＤ−ＲＡＷデータに対して所定の画素補間処理や色変換処理等の現像処理やリサイズ処理を行う。ここで、ＣＣＤ−ＲＡＷデータとは、信号処理を行う前の生データをさす。
【００２８】
記録媒体２３０は、撮影された画像データを記録する機能を有する。記録媒体２３０は、メモリーカードやハードディスク等の記録媒体であり、取り外し可能であってもよい。
【００２９】
制御回路２４０は、制御部２００全体を制御する機能を有する。つまり、制御回路２４０は、Ａ／Ｄ変換器２１０と、画像処理回路２２０と、記録媒体２３０と、ＪＰＥＧ圧縮・伸長回路２５０と、Ｄ／Ａ変換器２６０と、メモリ２７０との間のデータの伝達を制御する。そのため、制御回路２４０は、Ａ／Ｄ変換器２１０と、画像処理回路２２０と、記録媒体２３０と、Ｄ／Ａ変換器２６０と、メモリ２７０と電気的に接続されている。
【００３０】
制御回路２４０は、モード設定ダイヤル１２２の切替結果に基づいて前記撮像装置の撮像倍率を変更する制御部とを有することを特徴とする撮像装置。この場合、制御回路２４０は、第１の撮像モードから第２の撮像モードに切り替えられた場合には撮像倍率を下げ、第２の撮像モードから第１の撮像モードに切り替えられた場合には撮像倍率を上げるように指示する。
【００３１】
ＪＰＥＧ圧縮・伸長回路２５０は、画像データを圧縮・伸長する機能を有する。この場合、ＪＰＥＧ圧縮・伸長回路２５０は、画像データを記録媒体２３０へ保存する場合は、画像データを圧縮する。そして、画像データを液晶表示装置１１０若しくは図示しない画像出力装置に出力する場合は、画像データを伸長する。
【００３２】
Ｄ／Ａ変換器２６０は、デジタル信号をアナログ信号に変換する機能を有する。Ｄ／Ａ変換器２６０は、変換されたアナログ信号を液晶表示装置１１０へ伝達する。この場合、Ｄ／Ａ変換器２６０は、記録媒体２３０又は後述するメモリ２７０に書き込まれた画像データをアナログ信号へ変換する。従って、Ｄ／Ａ変換器２６０は、電気的に記録媒体２３０と、制御回路２４０と、メモリ２７０と、液晶表示装置１１０とに接続されている。
【００３３】
メモリ２７０は、撮影した画像データを一時的に格納する機能を有する。メモリ２７０は、所定枚数の静止画像や、所定時間の動画像を格納するために十分な記録容量を備えている。メモリ２７０は、制御回路２４０を介して、あるいは、制御回路２４０及び画像処理回路２２０を介してＡ／Ｄ変換器２１０から出力された画像のデジタル信号を記憶する。
【００３４】
変倍回路２８０は、画像データを撮像モードに応じて倍率を変更して画像を縮小する。つまり、変倍回路は、第２の撮像モードで撮影された撮影画像の画素数を第１の撮像モードで撮影された撮影画像の画素数に近づけるよう縮小する。これにより、第２の撮像モードで撮影された撮影画像の画素数と第２の撮像モードで撮影された撮影画像の画素数を同等にするように縮小する。
【００３５】
以上説明したように、撮像装置１００は、第１の撮像モード及び第２の撮像モードに応じて撮像倍率を変化させることにより、縦長の画像のサイズと横長の画像のサイズを同一にすることができる。更に、撮像装置１００は、第１の撮像モードで撮影された撮影画像の画素数と、第２の撮像モードで撮影された撮影画像の画素数を近づけるように縮小している。そのため、撮像装置１００は、画像を出力した場合、縦方向の画像と横方向の画像との画質がほぼ等しくすることができる。
【００３６】
撮像装置１００の動作としては、使用者が、シャッターボタン１２１を押すことにより、電気回路基板１７０に信号を伝達し、被写体が撮影される。撮影された被写体像の画像データがメモリ２７０又は記録媒体２３０に記録される。記録されたデータは、液晶表示装置１１０に表示される。
【００３７】
以下、図４を参照して、撮像装置１００の撮像方法５００を説明する。ここで、図４は、撮像方法５００を説明するためのフローチャートである。
【００３８】
本実施例では、撮像装置１００は、撮像素子１７２の縦横比が３：４とし、８００万画素の画素数を持つとする。撮像方法５００においては、縦長の画像と横長の画像においても同じ画角の画像、例えば、２００万画素の画像を作成することができる方法について特に詳述する。
【００３９】
まず、横長の撮影画像を撮影する第１の撮像モードと、縦長の撮影画像を撮影する第２の撮像モードとの切り替えを判断する（ステップ５０２）。この場合、使用者が操作部１２０のモード設定ダイヤル１２２が切り替えられることにより、第１の撮像モードであるか第２の撮像モードであるかが決定される。
【００４０】
ステップ５０２で、切り替えられたと判断した場合、第１の撮像モード又は第２の撮像モードに基づいて撮像装置１００の撮像倍率を変更する（ステップ５０４）。ここでは、撮像レンズ１７１を駆動させて、光学倍率を変更する。そして、横長の画像の撮像と縦長の画像の撮像とを同じ画角にする。
【００４１】
例えば、ステップ５０４で使用者が第１の撮像モードから第２の撮像モードに切り替えた場合には、撮像レンズ１７１をワイド端側に移動して撮像倍率を下げる。この場合、図５（ａ）に示すように、横長の画像の撮像領域ＷＲの縦の長さを３ｄとし、横の長さを４ｄとし、対角線の長さを５ｄとする。そして、図５（ｂ）に示すように、撮像素子１７２の対角線の長さをＤとし、レンズの焦点距離をｆとすると、画角θは、以下の数式１及び２によって定義される。
【００４２】
【数１】
2007068091.tif 000003
【００４３】
【数２】
2007068091.tif 000004
【００４４】
横長の画像の撮像領域ＷＲの対角線の長さ５ｄが、図６（ａ）に示すように、縦長の画像の撮像領域ＬＲでは、１５ｄ／４に変更される。そのため、両者で画角θを同じにするためには、図６（ｂ）のように撮像レンズ１７１を駆動して、焦点距離ｆを１５ｄ／４÷５ｄ＝３／４倍にする。ここで、図５及び図６は、被写体と、撮像手段１２０との関係を説明するための断面図である。
【００４５】
一方、ステップ５０４は、使用者が第２の撮像モードから第１の撮像モードに切り替えられた場合には、撮像倍率を上げる。この場合、撮像領域の対角線の長さは、１５／４ｄから５ｄに変更される。そのため、両者の画角θを同じにするために撮像レンズ１７１が駆動される。そして、焦点距離を５ｄ÷（１５ｄ／４）＝４／３倍にする。また、撮像モードの変更は、電子ズームであってもよい。
【００４６】
更に、ステップ５０２で、切り替えられたと判断した場合、液晶表示装置１１０を切り替える（ステップ５０６）。この場合、第１の撮像モードの時は、液晶表示装置１１０は、図７（ｃ）に示すように、縦横比が３：４の横長の画像を表示する。また、第２の撮像モードの時は、液晶表示装置１１０は、図８（ｃ）に示すように、縦横比が４：３の縦長の画像を表示する。このとき、液晶表示装置１１０は、被写体が表示されない領域ＢＤには何も表示されない。そのため、液晶表示装置１１０は、図８（ｃ）に示すように、領域ＢＤに現在の撮像モード、記録可能な残り枚数や画質等の撮像装置１００の情報を表示してもよい。ここで、図７は、第１の撮像モードで撮影したときの撮像素子１７２及び画像データを示す概略平面図である。詳述すると、図７（ａ）は、第１の撮像モードで撮影したときの撮像素子１７２に表示された被写体を示す平面図である。図７（ｂ）は、第１の撮像モードで記録される画像を示す平面図である。図７（ｃ）は、第１の撮像モードで撮影したときに液晶表示装置１１０に表示される画像を示す平面図である。図８は、第２の撮像モードで撮影したときの撮像素子１７２及び画像データを示す概略平面図である。詳述すると、図８（ａ）は、第２の撮像モードで撮影したときの撮像素子１７２に表示された被写体を示す平面図である。図８（ｂ）は、第２の撮像モードで記録される画像を示す平面図である。図８（ｃ）は、第２の撮像モードで撮影したときに液晶表示装置１１０に表示される画像を示す平面図である。
【００４７】
シャッターボタン１２１が押されたかを判断する（ステップ５０８）。そして、ステップ５０８でシャッターボタン１２１が押されたと判断した場合、ステップ５０２のモードに基づいて、縮小倍率を設定する（ステップ５１０）。
【００４８】
ここで、第１の撮像モードの場合の画像処理の流れを図３、図４及び図７を用いて説明する。
【００４９】
まず、シャッターボタン１２１が押されると、被写体は、撮像素子１７２に図７（ａ）のように撮影される。撮像素子１７２から読み出された画像データは、Ａ／Ｄ変換器２１０を経由して８００万画素の画像データとして読み出される。そして、画像データは、メモリ２７０に一時的に記録される。メモリ２７０に記録された画像データは、制御回路２４０によって画像処理回路２２０に転送されて現像処理が行われる。その後、画像データは、変倍回路２８０に転送されて画像データが縮小される。
【００５０】
そして、制御回路２４０は、図９に示すように、撮像モードに対する縮小倍率を示す対応表に従い、変倍回路２８０の縮小率を１／２倍に設定する。ここで、図９は、撮像モードに対する縮小倍率を示す対応表である。変倍回路２８０は、転送された８００万画素の画像データを２００万画素の画像データに縮小する。そして、２００万画素の画像データを一時的にメモリ２７０に記録する（ステップ５１２）。記録された画像は、図７（ｂ）のようになる。そして、記録された画像を記録媒体２３０に記録する（ステップ５１４）。この場合、ＪＰＥＧ圧縮・伸長回路２５０によって記録された画像を圧縮してもよい。ＪＰＥＧ圧縮・伸長回路２５０は、記録媒体２３０に画像を保存するために圧縮し、表示するときに画像を伸長する。
【００５１】
次に、第２の撮像モードの場合の処理の流れを図３、図４及び図８を用いて説明する。シャッターボタン１２１が押されると、被写体は、撮像素子１７２に図８（ａ）のように撮影される。この場合、図８（ａ）の縦横比は、４：３であるから、撮像素子１７２の縦の長さを３ｄとすると、横の長さは、３ｄ×３／４＝９／４ｄになる。それにより、本実施例の撮像素子１７２の画素数が８００万画素であるから被写体の撮像領域は、数式３より４５０万画素となる。
【００５２】
【数３】
2007068091.tif 000005
【００５３】
シャッターボタン１２１が押されたときに、被写体は撮像素子１７２において、図８（ａ）のように撮影される。撮像素子１７２から読み出された画像データは、Ａ／Ｄ変換器２１０を経由して４５０万画素の画像データとして読み出される。そして、画像データは、メモリ２７０に一時的に記録される。メモリ２７０に記録された画像データは、制御回路２４０によって画像処理回路２２０に転送されて、現像処理が行われる。その後、画像データは、変倍回路２８０に転送されて縮小される。従って、制御回路２４０は、図９に示す対応表に従い、変倍回路２８０の縮小率を２／３倍に設定する。そして、変倍回路２８０は、転送された４５０万画素の画像データを２００万画素の画像データに縮小する。
【００５４】
そして、２００万画素の画像データを一時的にメモリ２７０に記録する（ステップ５１２）。記録された画像は、図８（ｂ）のようになる。そして、記録された画像を記録媒体２３０に記録する（ステップ５１４）。この場合、ＪＰＥＧ圧縮・伸長回路２５０によって記録された画像を圧縮してもよい。
【００５５】
以上説明したように、撮像方法５００は、第１の撮像モード及び第２の撮像モードに応じて撮像倍率を変化させることにより、縦長の画像のサイズと横長の画像のサイズを同一にすることができる。更に、撮像方法５００は、第１の撮像モードで撮影された撮影画像の画素数と、第２の撮像モードで撮影された撮影画像の画素数とのレベルを同一にするように縮小している。そのため、撮像方法５００は、画像を出力した場合、縦方向の画像の画質と横方向の画像の画質とを近づけることができる。
【００５６】
以上、本発明の好ましい実施例について説明したが、本発明はこれらの実施例に限定されないことはいうまでもなく、その要旨の範囲内で種々の変形及び変更が可能である。
【図面の簡単な説明】
【００５７】
【図１】本発明の撮像装置の正面を示す概略斜視図である。
【図２】図１に示す撮像装置の背面を示す概略斜視図である。
【図３】図１に示す撮像装置の構成を示す概略ブロック図である。
【図４】図１に示す撮像装置の撮像方法を説明するためのフローチャートである。
【図５】被写体と、図１に示す撮像装置の撮像手段との関係を説明するための断面図である。
【図６】被写体と、図１に示す撮像装置の撮像手段との関係を説明するための断面図である。
【図７】第１の撮像モードで撮影したときの撮像素子及び画像データを示す概略平面図である。
【図８】第２の撮像モードで撮影したときの撮像素子及び画像データを示す概略平面図である。
【図９】撮像モードに対する縮小倍率を示す対応表である。
【符号の説明】
【００５８】
１００          撮像装置
１１０          液晶表示装置
１２０          操作部
１２１          シャッターボタン
１２２          モード設定ダイヤル
１２３          ズーム切替レバー
１２４          操作ボタン
１３０          撮像レンズ用開口部
１４０          ファインダ光学系開口部
１５０          発光窓
１６０          筐体
１７０          撮像手段
１７１          撮像レンズ
１７２          撮像素子
１８０          駆動部
２００          制御部
２１０          Ａ／Ｄ変換器
２２０          画像処理回路
２３０          記録媒体
２４０          制御回路
２５０          ＪＰＥＧ圧縮・伸長回路
２６０          Ｄ／Ａ変換器
２７０          メモリ
２８０          変倍回路
【図１】
2007068091.tif 000006
【図２】
2007068091.tif 000007
【図３】
2007068091.tif 000008
【図４】
2007068091.tif 000009
【図５】
2007068091.tif 000010
【図６】
2007068091.tif 000011
【図７】
2007068091.tif 000012
【図８】
2007068091.tif 000013
【図９】
2007068091.tif 000014